(57)【要約】【課題】係止機能を有する戸当りを提供する。【解決手段】キャッチャー５への挿入後におけるフック１７の２回の押動を１サイクルとして、最初の押動でピニオン１２を少し回動させて図８の角度位置に置き、その切欠１３をフックの係止隅部１９の移動軌跡内に進入させて、制御板１５に押動されて後退した係止隅部１９をピニオン１２に噛み込ませてフック１７をキャッチャー５に係止し、フックの２度目の押動によりフック１７をピニオン１２から解放すると共にピニオン１２を更に少し回動させ、フックの２度目の後退により係止隅部１９を介してピニオン１２をフック１７と干渉しない角度位置に置く。【選択図】  図８
2004308173.tif 000002
【特許請求の範囲】
【請求項１】
扉内面の上辺における自由側端縁付近、及び開扉時扉上辺自由端縁付近の部分に近接する内壁の部分の何れか一方に垂設され、先端が開口した偏平な箱状体であるキャッチャーと、開扉時先端がこのキャッチャーの開口から内部に挿入できるように、扉内面及び内壁の他方に垂設された板状のフックとを有し、上記キャッチャーの開口端部中央に、その底面に対する投影形状が略矩形で、その両短辺に略Ｖ字形の切欠を形成したピニオンを設けて、その中央を底面に回動可能に支承し、また、このピニオンに関しキャッチャーの開口とは反対側に、キャッチャー内でその長さ方向に移動可能に案内され、開口に向けて付勢された制御板を設け、この制御板に外力が作用しない常態においてはこの制御板の前端縁をピニオンに当接させてこれに係止し、一方、キャッチャー内に挿入されたときピニオンに干渉しないようにフックの前端部を二股状に成形して一対の作動アームを形成し、各アームの前端部外側端縁を斜めに削ぎ、また、一方の作動アームの前端部を内側に拡幅して、その内側端縁がピニオンの長辺と僅かな隙間を介して干渉せずに擦れ違うことができるようにすると共に、この内側端縁のフック基端部側に係止隅部を形成し、他方、一対の作動アームの基端部の間に、ピニオンと干渉する制御突起を形成したことを特徴とする係止機能付扉の戸当り。
【発明の詳細な説明】
【０００１】
【発明が属する技術分野】
この発明は、係止機能付扉の戸当り（以下単に戸当りという）に係り、特に、扉を押したり引いたりする動作で扉を部屋の内壁面に係止することができる戸当りに関する。
【０００２】
【従来の技術】
戸当り１とは、例えば図１に示すように、室内の内壁２の近傍における床面に植設され、例えばゴム製で球状の頭部を有するこけしのような棒状体で、扉３を開けたときその自由端が内壁２に衝突することを防止すると共に、緩衝機能を有するものである。
【０００３】
通常の戸当りは、扉が開いた状態を保つために係止機能を有しており、例えば図１に示すように、扉の自由端縁部下辺において水平軸の回りを回動可能に支承されたＵ字杆を戸当り１に引っ掛けて扉３を係止する。
【０００４】
【発明が解決しようとする課題】
上記した構造の従来の係止機能付戸当りは、床面に植設されているので、取付場所により躓きやすく危険な場合があるばかりでなく、床面を掃除するときに邪魔になる。
【０００５】
また、床面にカーペットなどを敷くとき、戸当り１との干渉を避けるためその部分を切り欠くか穴を開けなければならない。
【０００６】
更にまた、Ｕ字杆４などを戸当り１に引っ掛けるとき、或いは外すとき、しゃがみ込まなければならないのでお年寄りや体の不自由な人にとって作業が困難である。
【０００７】
加えて、扉３が戸当り１に係止されていることを知らないで慌ててドアを閉めようとすると、各部で衝突が起るので騒音が発生する、等種々の不都合がある。
【０００８】
そこで、この発明は、合理的に設計された新規な係止機能付戸当りを提案し、以て上記した種々の不都合を解消することを目的としている。
【０００９】
【課題を解決するための手段】
上記の目的を達成するため、この発明は、扉内面の上辺における自由側端縁付近、及び開扉時扉上辺自由端縁付近の部分に近接する内壁の部分の何れか一方に垂設され、先端が開口した偏平な箱状体であるキャッチャーと、開扉時先端がこのキャッチャーの開口から内部に挿入できるように、扉内面及び内壁の他方に垂設された板状のフックとを有し、上記キャッチャーの開口端部中央に、その底面に対する投影形状が略矩形で、その両短辺に略Ｖ字形の切欠を形成したピニオンを設けて、その中央を底面に回動可能に支承し、また、このピニオンに関しキャッチャーの開口とは反対側に、キャッチャー内でその長さ方向に移動可能に案内され、開口に向けて付勢された制御板を設け、この制御板に外力が作用しない常態においてはこの制御板の前端縁をピニオンに当接させてこれに係止し、一方、キャッチャー内に挿入されたときピニオンに干渉しないようにフックの前端部を二股状に成形して一対の作動アームを形成し、各アームの前端部外側端縁を斜めに削ぎ、また、一方の作動アームの前端部を内側に拡幅して、その内側端縁がピニオンの長辺と僅かな隙間を介して干渉せずに擦れ違うことができるようにすると共に、この内側端縁のフック基端部側に係止隅部を形成し、他方、一対の作動アームの基端部の間に、ピニオンと干渉する制御突起を形成したことを特徴とする。
【００１０】
【実施例】
以下、この発明の実施例を図面を参照して説明する。
図２乃至図４において符号５はキャッチャーの全体を示し、このキャッチャー５は、例えば本体部６と蓋板７とを図示しないねじにより相互に結合した偏平な箱状体である。
【００１１】
上記本体部６は、偏平な箱状体の上面及び一側面（図２及び図３で左側の側面）が開いた形状で、一方、上記蓋板７は本体部６の上面を覆う細長い矩形状の板状体である。
【００１２】
そして、これら本体部６及び蓋板７は、蓋板７に開口した、図示を省略する４つのビス穴、及び本体部に形成された４個のねじ孔８、８（図２参照）を利用して図示しないビスにより一体に結合され、図３に示すような一端が開いた偏平な箱状のキャッチャー５を構成する。
【００１３】
なお、後述するフックをキャッチャー５に挿入し易くするため、本体部６及び蓋板７の開口端部に面取り部９を形成すると良い。
【００１４】
また、本体部６及び蓋板７の底面１１の奥（図２〜３で右方）には、断面の形状が円弧の一部をなす（図４参照）ばね溝１１ａが夫々形成されている。
【００１５】
ちなみに、図３において本体部６の上面を底面、蓋板７の内面（下面）を天井面と称するのが普通であるが、キャッチャー５は必ずしも図３に示す態様で扉等に装着されるとは限らないので、ここでは底面、天井面の双方を底面と称することにする。
【００１６】
一方、図５及び図６に示すように、上記キャッチャー５の内部でその開口端部中央に、底面１１に対する投影形状が略矩形で、その両短辺に略Ｖ字形の切欠１３を形成したピニオン１２が設けられている。
【００１７】
このピニオン１２は、図５に示すように、キャッチャーの底面１１に垂直に植設された支軸１４の回りを回動可能に軸支されている。
【００１８】
他方、上記こピニオン１２に関しキャッチャーの開口とは反対側、すなわち図６においてピニオン１２の右方には、例えば全体の形状が略Ｔ字形の板状体である制御板１５が配設されている。
【００１９】
この制御板１５は、キャッチャー５内でその長さ方向、すなわち、図５で左右方向に移動可能に案内されており、これに一体に形成されたばね掛片１５ａに一端を巻装し、他端をキャッチャー５の奥に当接させた圧縮コイルばねとしての付勢ばね１６（図５参照）の弾力により、制御板１５をキャッチャーの開口方向（図５で左方）に付勢している。
【００２０】
なお、この付勢ばね１６は、前記キャッチャー５内のばね溝１１ａ、１１ａが挟む空間内に収納されていることは言う迄もない。
【００２１】
また、図面を明瞭にするため、図６以降の図面においてはこの付勢ばね１６の図示を省略し、矢印で付勢方向を示すのみとする。
【００２２】
上記のように、制御板１５は図６で左方に付勢されているが、常態においては、換言すればキャッチャーの開口内に次に述べるフックが挿入されていない待機状態においては、切欠１３、１３を前後方向（図６で左右方向）にする角度位置にあるピニオン１２に係止され、図示の位置を保つ。
【００２３】
一方、開扉時このキャッチャー５の開口に挿入されるフック１７は、例えば図７に示すように構成されている。すなわち、フック１７は外形が略矩形の板状体であって、その前端部（図７で右端部）は、キャッチャー５内に挿入されたときピニオン１２と干渉しないように二股状に成形され、一対の作動アーム１８、１８が形成されている。
【００２４】
また、各作動アーム１８の前端部外側端縁は斜めに削がれ、キャッチャー５の開口に挿入し易くなっている。
【００２５】
更にまた、一方の作動アーム１８、すなわち、第７図示の実施例では上方の作動アーム１８の前端部は内側に拡幅され、その内側端縁が図７に示す角度位置にあるピニオン１２の長辺と僅かな間隙を介して、干渉せずに擦れ違うことができるように、その作動アームの前端部の幅寸法が設定されている。
【００２６】
上記のように上方の作動アーム１８の前端部が内側に拡幅される結果、上方の作動アームの中央部に段部が形成されるが、この発明ではその段部の隅部を係止隅部１９として、この発明の重要な構成要素としている。
【００２７】
加えて、上記一対の作動アーム１８、１８の基端部の間に、ピニオン１２と干渉する制御突起２１が形成されている。
【００２８】
図示の実施例における制御突起２１は、一対の作動アーム１８、１８の基端部のほぼ中央に形成され、図６及び図７に示す角度位置にあるピニオンの後方の切欠１３と係合してこれを反時計方向に少し回動させることができるような形状で、その先端は制御板１５の前端縁とほぼ平行になっている。
【００２９】
上記のように構成されたこの発明の一実施例による係止機能付戸当りは、図７に示すキャッチャーの蓋板７に開口した一対のねじ孔２２、２２を利用して、図示しないブラケット或いは他の中間取付部材に一体に結合し、これを介して扉内面の上辺における自由側端縁付近、及び開扉時扉上辺自由端縁付近の部分に近接する内壁の部分の何れか一方に垂設する。
【００３０】
また、フック１７もその基端に開口したピン穴２３を通る図示しない連結ピンを介して図示しないブラケットに回動可能に結合し、このブラケットを介して、フック１７の先端が開扉時上記キャッチャーの開口から内部に挿入できるように、扉内面及び内壁の他方に垂設する。
【００３１】
なお、図７に示すようにねじ孔２２二つだがフック１７のピン穴２３が一つしか開口していない理由は、扉の自由端は円運動をするので、キャッチャー５及びフック１７の何れか揺動しないとフック１７の挿入時両者に拗れが生じるからである。
【００３２】
前記したように、また図６に示すように、閉扉時にはフック１７がキャッチャー５に挿入されていないので、ピニオン１２は図６に示すような角度位置にあり、制御板１５の前端縁に当接して回転止めが施されている。
【００３３】
開扉の終了間近にフック１７の前端部がキャッチャー内に挿入されるが、前記した構成により、作動アーム１８、１８はピニオン１２と干渉することなく奥まで挿入され、フックの前端が制御板１５の前端縁に当接するに致る。
【００３４】
更に扉を開けると、前記付勢ばね１６が呈する弾力によって少し抵抗があるが、フックは付勢ばね１６をおし縮めつつ更にキャッチャー内に深く挿入され、図８に示すように、フックの制御突起２１がピニオンの切欠１３と係合するに致る。
【００３５】
すると、ピニオン１２は反時計方向に、換言すればピニオン１２の一部が一方の作動アームの係止隅部の移動軌跡に入るように少し回動すると共に、ピニオン１２を介して支軸１４に衝止される。
【００３６】
このとき扉を開けようとする力を弱めると、或いは扉から手を離すと、制御板１５を介して付勢ばね１６に押動され、フック１７が外に押出されるように移動する結果、図８で制御突起２１が左方に移動してピニオン１２を自由にする。
【００３７】
そのため、図９に示すようにフックの係止隅部１９がピニオンの切欠１３に噛み込み、フック１７がピニオン１２を介してキャッチャーに錨止されるので、扉はフック１７及びキャッチャー５の係合を介して内壁に係止される。
【００３８】
図９においては、係止隅部１９がピニオンのＶ字形の切欠１３を挟む一対の付番しない突片の一方（図９で左方の突片）を左方に押動して、ピニオン１２を反時計方向に回動させようとすると、他方の突片がフックの上方の作動アーム１８の内側端縁に食い込むので、結局フック１７は左方に移動することができない。
【００３９】
必要があって扉を閉めるときには、一旦扉を内壁方向に更に押動する。すると、図１０に示すように、フック１７が付勢力に抗して制御板１５をキャッチャー５の内方に押込む。
【００４０】
すると、係止隅部１９とピニオン１２の噛み合いが解消され、ピニオン１２が自由になると共に、今度はフック１７の制御突起２１がピニオン１２の長辺中央部を押動する。
【００４１】
すると、ピニオン１２が反時計方向に少し回動し、ピニオン１２の上記他方の突片が係止隅部１９の移動軌跡内に進入する。
【００４２】
この状態で扉を閉める方向に回動させると、図１１に示すように、フックの係止隅部１９がピニオン１２の長辺部の端部を押動するので、ピニオン１２は更に反時計方向に回動し、ついには、図１２及び図７に示す係合状態を経てフック１７がキャッチャー１５から抜き去られる。
【００４３】
すると、フック１７と一体の扉はキャッチャーから自由になるから、扉を閉止方向に更に回動すれば扉を閉めることができる。
【００４４】
【発明の効果】
以上の説明から明らかなように、この発明は、キャッチャー挿入後におけるフックの２回の押動を１サイクルとして、最初の押動でピニオンを少し回動させ、その切欠をフックの係止隅部の移動軌跡内に進入させて、制御板に押動されて後退した係止隅部をピニオンに噛み込ませてフックをキャッチャーに係止し、フックの２度目の押動によりフックをピニオンから解放すると共にピニオンを更に少し回動させ、フックの２度目の後退により係止隅部を介してピニオンをフックと干渉しない角度位置に置くようにしたので、扉を単に一杯に開けるだけで自動的に扉を内壁に係止でき、もう１度扉を開放方向に押すだけで扉を閉めることができる、という所期の効果を奏する。
【図面の簡単な説明】
【図１】従来の戸当りを説明するための扉口の線図的平面図。
【図２】この発明の一実施例による戸当りのキャッチャーのケースの平面図で、一部の部品を破断して示す。
【図３】この発明の一実施例による戸当りのキャッチャーのケースの縦断面図。
【図４】この発明の一実施例による戸当りのキャッチャーのケース正面図。
【図５】この発明の一実施例による戸当りのキャッチャーの縦断面図。
【図６】この発明のキャッチャーとフックの係合の態様を示す線図で、キャッチャーにフックが挿入されていないキャッチャーの待機状態を示す。
【図７】この発明のキャッチャーとフックの係合の態様を示す線図で、キャッチャーにフックが挿入され、その先端が制御板の前端縁に当接した状態を示す。
【図８】この発明のキャッチャーとフックの係合の態様を示す線図で、フックが更に奥深く挿入され、制御突起がピニオンを傾けた状態を示す。
【図９】この発明のキャッチャーとフックの係合の態様を示す線図で、フックを少し戻した結果係止隅部がピニオンに噛み込んだ状態を示す。
【図１０】この発明のキャッチャーとフックの係合の態様を示す線図で、扉を閉めるためフックを図９より奥深く挿入した状態を示す。
【図１１】この発明のキャッチャーとフックの係合の態様を示す線図で、図１０よりフックを少し抜出した結果ピニオンが回動した状態を示す。
【図１２】この発明のキャッチャーとフックの係合の態様を示す線図で、フックがピニオンを回動させつつキャッチャーから抜き外れる状態を示す。
【符号の説明】
１  戸当り
２  内壁
３  扉
４  Ｕ字杆
５  キャッチャー
１２  ピニオン
１３  切欠
１４  支軸
１５  制御板
１６  付勢ばね
１７  フック
１８  作動アーム
１９  係止隅部
２１  制御突起
【図１】
2004308173.tif 000003
【図２】
2004308173.tif 000004
【図３】
2004308173.tif 000005
【図４】
2004308173.tif 000006
【図５】
2004308173.tif 000007
【図６】
2004308173.tif 000008
【図７】
2004308173.tif 000009
【図８】
2004308173.tif 000010
【図９】
2004308173.tif 000011
【図１０】
2004308173.tif 000012
【図１１】
2004308173.tif 000013
【図１２】
2004308173.tif 000014